(57)【要約】【課題】３Ｄ画像の側から出力される振動開始のきっかけを受け取ることに伴い振動する３Ｄメガネを提供する。【解決手段】スイッチ部７が人によりオン操作され、作動表示部８が電池部１１から供給された電力により点灯又は点滅してスイッチ部７のオン作動したことを表示する一方、検出部６と制御部１２とが電池部１１から供給された電力により作動した状態において、検出部６が３Ｄ画像の側から出力される振動開始のきっかけとなる信号を検出して制御部１２に出力すると、制御部１２が検出部６から入力された検出信号をサンプリングする。制御部１２がサンプリングした検出信号を制御部１２に予め記録された識別パターンに照合する。サンプリングした検出信号が識別パターンに一致すると、制御部１２が制御部１２に予め記録された振動パターンに基づく制御信号を振動発生部１３；１４に出力し、振動発生部１３；１４が振動パターンに基づき振動する。【選択図】図１
2014165727.tif 000002
【特許請求の範囲】
【請求項１】
メガネフレームには検出部と電池部と制御部と振動発生部とスイッチ部とが設けられ、スイッチ部がオン操作され、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とする３Ｄメガネ。
【請求項２】
メガネフレームには検出部と電池部と制御部と振動発生部とスイッチ部と作動表示部とが設けられ、スイッチ部がオン操作され、作動表示部が電池部から供給された電力により点灯又は点滅してスイッチ部のオン作動したことを表示する一方、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とする３Ｄメガネ。
【請求項３】
メガネフレームには検出部と電池部と制御部と振動発生部とスイッチ部と充電端子部とが設けられ、電池部が充電端子部から充電された後、スイッチ部がオン操作され、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とする３Ｄメガネ。
【請求項４】
メガネフレームには検出部と電池部と制御部と振動発生部とスイッチ部と作動表示部と充電端子部とが設けられ、電池部が充電端子部から充電された後、スイッチ部がオン操作され、作動表示部が電池部から供給された電力により点灯又は点滅してスイッチ部のオン作動したことを表示する一方、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とする３Ｄメガネ。
【請求項５】
検出部がメガネフレームの前面部に設けられるか、又は、検出部がメガネフレームの前方に存在する３Ｄ画像の側から出力される振動開始のきっかけとなる信号を検出し得るようにテンプル部に設けられたことを特徴とする請求項１乃至請求項４の１つに記載の３Ｄメガネ。
【請求項６】
振動発生部が左右のテンプル部に個別に設けられるか又は左右のテンプル部の一方に設けられたことを特徴とする請求項１乃至請求項４の１つに記載の３Ｄメガネ。
【請求項７】
メガネフレームのテンプル部にはテンプル部の外側面からテンプル部の内部への窪みになる収容部が設けられ、収容部におけるテンプル部の外側面に設けられた開口部には開口部を塞ぐカバー部が設けられ、収容部には電池部が設けられるか、又は、収容部には電池部と制御部とが設けられたことを特徴とする請求項１乃至請求項４の１つに記載の３Ｄメガネ。
【請求項８】
電池部が充電不可能な電池部により構成されたことを特徴とする請求項１又は請求項２に記載の３Ｄメガネ。
【請求項９】
制御部がマイクロコンピューター部とメモリー部とから成り、メモリー部には識別パターンと振動パターンとが予め記録されており、検出部が３Ｄ画像の側から出力される振動開始のきっかけとなる信号を検出してマイクロコンピューター部に出力すると、マイクロコンピューター部が検出部から入力された検出信号をサンプリングした後、そのサンプリングした検出信号をマイクロコンピューター部がメモリー部に予め記録された識別パターンに照合し、サンプリングした検出信号が識別パターンに不一致である場合は、マイクロコンピューター部がそれ以降に繋がる振動発生のための処理を中止して次の検出信号のサンプリングに待機する一方、サンプリングした検出信号が識別パターンに一致した場合は、マイクロコンピューター部がメモリー部に予め記録された振動パターンに基づく制御信号を振動発生部に出力することを特徴とする請求項１乃至請求項４の１つに記載の３Ｄメガネ。
【請求項１０】
メモリー部には識別パターンと振動パターンとが書き換え不可能に予め記録されたことを特徴とする請求項９に記載の３Ｄメガネ。
【請求項１１】
マイクロコンピューター部とメモリー部とが集積回路として一体に構成されたことを特徴とする請求項１０に記載の３Ｄメガネ。
【請求項１２】
制御部には複種類の識別パターンと複種類の振動パターンとが予め記録され、制御部がサンプリングした検出信号を制御部に予め記録された複種類の識別パターンに照合し、サンプリングした検出信号が複種類の識別パターンの１つに一致すると、制御部が制御部に予め記録された上記一致した１つの識別パターンに適合する振動パターンに基づく制御信号を振動発生部に出力することを特徴とする請求項１乃至請求項４の１つに記載の３Ｄメガネ。
【発明の詳細な説明】
【技術分野】
【０００１】
本発明は、立体画像を可視する３Ｄメガネに関する。
【背景技術】
【０００２】
図８を参照し、特許文献１で開示された３Ｄ表示装置について説明する。３Ｄ表示装置は、３Ｄメガネ８１にコントローラー部８２と振動発生部８３とを設け、３Ｄ映像表示部８４に液晶表示部８５と３Ｄ映像のシーンに応じた振動パターン８６とを設け、液晶表示部８５に表示された３Ｄ映像が振動発生部を作動する状態になると、３Ｄ映像表示部８４が振動パターン８６に相当する振動パターン信号を３Ｄメガネ８１に送信し、これを受信した３Ｄメガネ８１のコントローラー部８２が振動パターン信号に基づき振動発生部８３を振動させる構成である。
【０００３】
図９を参照し、特許文献２で開示された遊技機用振動装置について説明する。遊技機用振動装置は、電源回路部９１がＡＣコンセント部９２から供給された交流電力を直流電力に変換して増幅部９３とマイクロホン部９４とに供給した状態において、マイクロホン部９４が遊技機９５のスピーカー部９６から放出された大当たりの演出音を受信した信号を増幅部９３に出力し、増幅部９３がマイクロホン部９４から入力された信号を増幅して椅子９７の振動発生部９８に与えることにより、振動発生部９８が増幅部９３からの信号のレベルに応じた大きさに振動する構成である。
【０００４】
図８及び図９からは、３Ｄ画像の側から出力される振動開始のきっかけを受け取った後は制御部のメモリーに記憶された振動パターンに従ってバイブレータを振動する３Ｄメガネを提供することはできない。
【先行技術文献】
【特許文献】
【０００５】
【特許文献１】特開２０１２−８３５５４号公報
【特許文献２】特開２００３−３１１０１０号公報
【発明の概要】
【発明が解決しようとする課題】
【０００６】
本発明は、上記背景技術に鑑みてなされたものであり、３Ｄ画像の側から出力される振動開始のきっかけを受け取ることにより制御部のメモリーに記憶された振動パターンに従って振動する３Ｄメガネを提供することを目的とする。
【課題を解決するための手段】
【０００７】
本発明は、メガネフレームには検出部と電池部と制御部と振動発生部とスイッチ部とが設けられ、スイッチ部がオン操作され、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とするか、又は、メガネフレームには検出部と電池部と制御部と振動発生部とスイッチ部と作動表示部とが設けられ、スイッチ部がオン操作され、作動表示部が電池部から供給された電力により点灯又は点滅してスイッチ部のオン作動したことを表示する一方、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とするか、又は、メガネフレームには検出部と電池部と制御部と振動発生部とスイッチ部と充電端子部とが設けられ、電池部が充電端子部から充電された後、スイッチ部がオン操作され、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とするか、又は、メガネフレームには検出部と電池部と制御部と振動発生部とスイッチ部と作動表示部と充電端子部とが設けられ、電池部が充電端子部から充電された後、スイッチ部がオン操作され、作動表示部が電池部から供給された電力により点灯又は点滅してスイッチ部のオン作動したことを表示する一方、検出部と制御部とが電池部から供給された電力により作動した状態において、検出部が３Ｄ画像の側から出力される振動開始のきっかけとなる信号を検出して制御部に出力し、制御部が検出部から入力された検出信号をサンプリングし、制御部がサンプリングした検出信号を制御部に予め記録された識別パターンに照合し、サンプリングした検出信号が識別パターンに一致すると、制御部が制御部に予め記録された振動パターンに基づく制御信号を振動発生部に出力し、振動発生部が振動パターンに基づき振動することを特徴とする。
【発明の効果】
【０００８】
本発明は、３Ｄ画像の側から出力される振動開始のきっかけを受け取ることに伴い振動する３Ｄメガネが簡単な構造で提供できる。本発明にあっては、検出部がメガネフレームの前面部に設けられるか、又は、検出部がメガネフレームの前方に存在する３Ｄ画像の側から出力される振動開始のきっかけとなる信号を検出し得るようにテンプル部に設けられれば、３Ｄメガネの使用時において、３Ｄメガネの前方に存在する３Ｄ画像の側から出力される振動開始のきっかけとなる信号を良好に検出できる。本発明にあっては、振動発生部が左右のテンプル部に個別に設けられるか又は左右のテンプル部の一方に設けられれば、振動発生部で発生した振動が３Ｄメガネを装着した人に良好に伝達される。本発明にあっては、メガネフレームのテンプル部にはテンプル部の外側面からテンプル部の内部への窪みになる収容部が設けられ、収容部におけるテンプル部の外側面に設けられた開口部には開口部を塞ぐカバー部が設けられ、収容部には電池部が設けられるか、又は、収容部には電池部と制御部とが設けられれば、制御部の部品又は電池部の部品が容易に交換できる。本発明にあっては、電池部が充電不可能な電池部により構成されれば、３Ｄメガネを使った人の専用として提供しやすくなる。本発明にあっては、制御部がマイクロコンピューター部とメモリー部とから成り、メモリー部には識別パターンと振動パターンとが予め記録されており、検出部が３Ｄ画像の側から出力される振動開始のきっかけとなる信号を検出してマイクロコンピューター部に出力すると、マイクロコンピューター部が検出部から入力された検出信号をサンプリングした後、そのサンプリングした検出信号をマイクロコンピューター部がメモリー部に予め記録された識別パターンに照合し、サンプリングした検出信号が識別パターンに不一致である場合は、マイクロコンピューター部がそれ以降に繋がる振動発生のための処理を中止して次の検出信号のサンプリングに待機する一方、サンプリングした検出信号が識別パターンに一致した場合は、マイクロコンピューター部がメモリー部に予め記録された振動パターンに基づく制御信号を振動発生部に出力すれば、制御部の構成が簡単になる。本発明にあっては、メモリー部には識別パターンと振動パターンとが書き換え不可能に予め記録されれば、３Ｄメガネの取り扱いが簡単である。本発明にあっては、マイクロコンピューター部とメモリー部とが集積回路として一体に構成されれば、マイクロコンピューター部とメモリー部とのメガネフレームへの設置が容易になる。制御部には複種類の識別パターンと複種類の振動パターンとが予め記録され、制御部がサンプリングした検出信号を制御部に予め記録された複種類の識別パターンに照合し、サンプリングした検出信号が複種類の識別パターンの１つに一致すると、制御部が制御部に予め記録された上記一致した１つの識別パターンに適合する振動パターンに基づく制御信号を振動発生部に出力すれば、種々の振動を体験させられる。
【図面の簡単な説明】
【０００９】
【図１】発明を実施するための形態１に係る３Ｄメガネのメガネフレームとカバーとを分解して前方斜めから見た状態を示す斜視図。
【図２】発明を実施するための形態１に係る３Ｄメガネを後側から見た状態を示す斜視図。
【図３】発明を実施するための形態１に係るメガネフレームを分解して示す斜視図。
【図４】発明を実施するための形態１に係る３Ｄメガネのメガネフレームに設置される部品の構成を示す模式図。
【図５】発明を実施するための形態１に係る３Ｄメガネのカメラモジュールを示す断面図。
【図６】発明を実施するための形態１に係る３Ｄメガネの振動モーターを示す斜視図。
【図７】発明を実施するための形態２に係る３Ｄメガネを前方斜めから見た状態を示す斜視図。
【図８】従来の３Ｄ表示装置を示す模式図。
【図９】従来の遊技機用振動装置を示す模式図。
【発明を実施するための形態】
【００１０】
図１を参照し、発明を実施するための形態１に係る３Ｄメガネ１について説明する。図１に示す３Ｄメガネ１は、メガネフレーム２の前面部３に３Ｄフィルター部４；５と検出部６とスイッチ部７と作動表示部８とを備え、メガネフレーム２のテンプル部９；１０に電池部１１と制御部１２と振動発生部１３；１４とを備える。そして、スイッチ部７が人によりオン操作され、作動表示部８が電池部１１から供給された電力により点灯又は点滅してスイッチ部７のオン操作されたことを表示する一方、検出部６と制御部１２とが電池部１１から供給された電力により作動する。
【００１１】
上記の状態において、検出部６が３Ｄ画像の側から出力される振動開始のきっかけとなる信号を検出して制御部１２に出力すると、制御部１２が検出部６から入力された検出信号をサンプリングする。サンプリングは、検出部６から入力された検出信号を制御部１２に予め記録された一定時間ごとに採取して記録することを繰り返す行為である。制御部１２がサンプリングした検出信号を記録された順序に従って識別パターンに照合する。識別パターンは、制御部１２に予め記録されたデータである。サンプリングした検出信号が識別パターンに一致すると、制御部１２が制御部１２に予め記録された振動パターンに基づく制御信号を振動発生部１３；１４に出力し、振動発生部１３；１４が振動パターンに基づき振動する。制御部１２は、上記サンプリングした検出信号を識別パターンに照合した後に、サンプリングした検出信号の記録を制御部１２から消去する。
【００１２】
これにより、３Ｄ画像の側から出力される振動開始のきっかけを受け取ることに伴い振動する３Ｄメガネ１が簡単な構造で提供できる。このように３Ｄメガネ１が簡単な構造で提供できるので、他人の使った３Ｄメガネ１を使用しないように、３Ｄメガネ１を使った人の専用とするように使い捨て式に用いることができる。検出部６がメガネフレーム２の前面部３に設けられたので、３Ｄメガネ１の使用時において、３Ｄメガネ１の前方に存在する３Ｄ画像の側から出力される振動開始のきっかけとなる信号を良好に検出できる。
【００１３】
３Ｄフィルター部４；５としては、赤色カラーフィルター部と青色カラーフィルター部とから成るアナグリフ式、２種類の偏光フィルターから成る偏光式、２個の液晶シャッターから成る液晶式が適用可能である。１個の３Ｄフィルター部４が左側又は右側の一方の可視孔部１５を塞ぐように前面部３に取り付けられ、もう１個の３Ｄフィルター部５が右側又は左側の他方の可視孔部１６を塞ぐように前面部３に取り付けられる。
【００１４】
検出部６は、前面部３の左右方向の中心部に設けられた検出孔部１７に対応するように、前面部３の内部に設置される。スイッチ部７は、メガネフレーム２の前面部３に内部に設置される。スイッチ部７のボタン部又はスライド部等の操作部は、メガネフレーム２の前面部３の前外側から操作可能となるように、メガネフレーム２の前面部３に配置される。
【００１５】
作動表示部８は、ＬＥＤのような表示灯から成る。作動表示部８の点灯及び消灯がメガネフレーム２の前面部３の前外側から可視可能なように、作動表示部８はメガネフレーム２の前面部３の内部に設置される。例えば、検出部６とスイッチ部７と作動表示部８とがメガネフレーム２の前面部３における左右の可視孔部１５；１６の間を上下に延びる図外の線上に配置された態様である。
【００１６】
電池部１１と制御部１２とは、左右のテンプル部９；１０のうちの一方のテンプル部９の内部に設置される。左右のテンプル部９；１０には、モダン部１８；１９が１個ずつ設けられる。モダン部１８；１９は、３Ｄメガネ１を装着する人の耳に掛けられる部分である。一方のテンプル部９には、収容部２１が、一方のテンプル部９のモダン部１８よりも前面部３の側に配置され、一方のテンプル部９の外側面から一方のテンプル部９の内部への窪みとして設けられる。収容部２１の一方のテンプル部９の外側面に設けられた開口部２２は、カバー部２３で塞がれる。
【００１７】
カバー部２３を収容部２１の開口部２２に着脱可能に取り付けるために、収容部２１の周面部には嵌合部２４が凹形に設けられ、カバー部２３の周面部には嵌合部２５が凸形に設けられる。そして、嵌合部２４と嵌合部２５とが互いに嵌め合わされると、カバー部２３が収容部２１の開口部２２を塞ぐようにテンプル部９に装着される。
【００１８】
カバー部２３を取り外す場合は、人の手で取り外せるようにしても良いが、専用の工具を用いて取り外せるようにしても適用可能である。専用の工具で取り外せる構造の場合は、カバー部２３を人の手で取り外せる構造よりも、人がカバー部２３を容易に取りはずせなくなる。尚、収容部２１の周面部に設けられる嵌合部２４を凸形とし、カバー部２３の周面部に設けられる嵌合部２５を凹形としても適用可能である。
【００１９】
収容部２１には、電池部１１と制御部１２とが設けられる。電池部１１は、検出部６と作動表示部８と制御部１２と振動発生部１３；１４とに電力を供給する充電可能な電池であり、厚さの薄い板状のリチウムイオン電池から成り、収容部２１に交換可能に設置される。電池部１１が収容部２１に設置された場合は、電池部１１の図外の端子部が制御部１２のマイクロコンピューター部２７の図外の電力端子部に接続される。
【００２０】
つまり、メガネフレーム２のテンプル部９にはテンプル部９の外側面からテンプル部９の内部への窪みになる収容部２１が設けられ、収容部２１におけるテンプル部９の外側面に設けられた開口部２２には開口部２２を塞ぐカバー部２３が設けられ、収容部２１には電池部１１と制御部１２とが設けられたので、制御部１２の部品又は電池部１１の部品が容易に交換できる。
【００２１】
制御部１２は、マイクロコンピューター部２７とメモリー部２８とから成る。マイクロコンピューター部２７は、薄くて柔軟性を有するフレキシブルな回路基板にマイクロコンピューターの実装された態様である。メモリー部２８は、小形でありながら記録容量を確保できるように、マイクロＳＤカードのようなフラッシュメモリーから成り、交換不可能に又は交換可能に収容部２１に設置される。メモリー部２８が収容部２１に設置された場合は、メモリー部２８の図外の端子部がマイクロコンピューター部２７の図外の入力インターフェイス部に接続される。メモリー部２８の交換構造は、テンプル部９に図外のスロットを設け、メモリー部２８がテンプル部９の外部から上記図外のスロットを経由してテンプル部９の内部に全体的に差し込まれることにより、メモリー部２８の端子部がマイクロコンピューター部２７と接続できる構造であっても適用可能である。
【００２２】
振動発生部１３；１４は、左右のモダン部１８；１９の近傍に位置し、左右のテンプル部９；１０の内部に個別に設置される。図１には、検出部６とマイクロコンピューター部２７とを接続する配線３１、電池部１１とマイクロコンピューター部２７とを接続する配線３２、マイクロコンピューター部２７と一方の振動発生部１３とを接続する配線３３、マイクロコンピューター部２７と他方の振動発生部１４とを接続する配線３４が図示されているが、それら以外の配線の図示は省略されている。振動発生部１３；１４が左右のテンプル部９；１０に個別に設けられたので、振動発生部１３；１４で発生した振動が３Ｄメガネ１を装着した人に良好に伝達される。
【００２３】
図２を参照し、発明を実施するための形態１に係る３Ｄメガネ１の電池部１１に充電する構造について説明する。図２に示す電池部１１の設けられた側のテンプル部９には、充電端子部３６が設けられる。充電端子部３６は、図外の充電回路部に接続される。充電回路部はテンプル部９の内部に設けられ、電池部１１に接続される。そして、図外の商用電源部又はコンピューターの給電端子部に接続された給電線が３Ｄメガネ１の外部から充電端子部３６に接続されると、商用電源部又はコンピューターの給電端子部から充電端子部３６及び上記図外の充電回路部を経由して電池部１１に充電が行われる。充電端子部３６は前面部３又はテンプル部１０に設けられても適用可能であるが、充電端子部３６がテンプル部９に設けられれば、充電端子部３６が電池部１１の近くに配置され、給電線の長さが短くなる。
【００２４】
図３を参照し、発明を実施するための形態１に係るメガネフレーム２について説明する。図３に示すメガネフレーム２は、素材を限定されるものではないが、例えば、合成樹脂により構成される場合を例示する。メガネフレーム２は、合成樹脂から成る２つに分けられた造形のフレーム要素３８；３９の中に図１に示す３Ｄフィルター部４；５と検出部６とスイッチ部７と作動表示部８と電池部１１と制御部１２と振動発生部１３；１４とを設置した状態で、２つのフレーム要素３８；３９が組み合わせられることにより図１に示す造形の一体のメガネフレーム２として構成される。上記検出部６とスイッチ部７と作動表示部８と電池部１１と制御部１２と振動発生部１３；１４とは互いに配線で接続された状態で２つのフレーム要素３８；３９の中に設置される。フレーム要素３８には図１に示す可視孔部１５；１６を構成するための開口部４１；４２が設けられ、フレーム要素３９には図１に示す可視孔部１５；１６を構成するための開口部４３；４４、検出孔部１７、スイッチ操作孔部４５、作動表示孔部４６が設けられる。メガネフレーム２としては紙又は金属により構成されても適用可能である。
【００２５】
図４を参照し、発明を実施するための形態１に係る３Ｄメガネ１のメガネフレーム２に設置される部品について説明する。図４に示す検出部６は、ＣＣＤカメラ部４７又はマイクロホン部４８又は赤外線センサー部４９又は図外の電波による信号受信部又は図外の有線による信号受信部から成る。制御部１２は、マイクロコンピューター部２７とメモリー部２８とから成る。メモリー部２８には識別パターン５０と振動パターン５１とが予め記録されている。振動パターン５１は、骨振動により音又は音声又は楽曲として人の脳で把握できる様式であっても適用可能である。振動発生部１３；１４は、駆動回路部５２と振動素子部５３とから成る。
【００２６】
電池部１１とスイッチ部７が電力線５５で接続される。スイッチ部７と作動表示部８とが電力線５６で接続される。作動表示部８と部制御部１２とが電力線５７で接続される。作動表示部８と検出部６とが電力線５８で接続される。作動表示部８と振動発生部１３；１４の駆動回路部５２とが電力線５９で接続される。駆動回路部５２と振動素子部５３とが電力線６０で接続される。検出部６と制御部１２のマイクロコンピューター部２７とが信号線６１で接続される。マイクロコンピューター部２７とメモリー部２８とが信号線６２で接続される。制御部１２と駆動回路部５２とが信号線６３で接続される。
【００２７】
上記部品の動作について説明すると、スイッチ部７の図外の操作部がオン操作され、スイッチ部７がオン作動すると、電力が電池部１１からスイッチ部７と作動表示部８とを経由して制御部１２と検出部６と振動発生部１３；１４とに供給され、作動表示部８が点灯又は点滅する一方、検出部６と制御部１２のマイクロコンピューター部２７とが作動する。その状態において、検出部６が３Ｄ画像の側から出力される振動開始のきっかけとなる信号を検出してマイクロコンピューター部２７に出力すると、マイクロコンピューター部２７が検出部６から入力された検出信号をサンプリングした後、そのサンプリングした検出信号をマイクロコンピューター部２７がメモリー部２８に予め記録された識別パターン５０に照合する。サンプリングした検出信号が識別パターン５０に不一致である場合は、
マイクロコンピューター部２７がそれ以降に繋がる振動発生のための処理を中止して次の検出信号のサンプリングに待機する。サンプリングした検出信号が識別パターン５０に一致した場合は、マイクロコンピューター部２７がメモリー部２８に予め記録された振動パターン５１に基づく制御信号を振動発生部１３；１４の駆動回路部５２に出力し、駆動回路部５２が振動発生部１３；１４の振動素子部５３を上記振動パターン５１に基づく制御信号に基づき駆動し、振動素子部５３が振動パターン５１に基づき振動する。これにより、３Ｄ画像の側から出力される振動開始のきっかけを受け取ることに伴い振動する図１に示す３Ｄメガネ１が簡単な構造で提供できる。制御部１２がマイクロコンピューター部２７とメモリー部２８とから成るので、制御部１２の構成が簡単になる。
【００２８】
図５を参照し、発明を実施するための形態１に係る検出部６としてＣＣＤカメラ部４７を例示して説明する。図５に示すＣＣＤカメラ部４７は、携帯電話機又はスマートフォン又はタブレット端末等の携帯電子機器に適用される小形のものであり、光学系の情報を処理するレンズユニット７１、光学系の信号から可視光外の赤外線領域の信号を取り除くＩＲカットフィルター７２、光学信号を電気信号に変換するイメージセンサー７３、電気信号に変換された画像情報を処理するＤＳＰ７４で構成される。ＤＳＰは、Digital Signal Processorの略号であり、日本語では、ディジタル信号プロセッサーと言われる。レンズユニット７１の前にはメガネフレーム２の検出孔部１７が配置される。イメージセンサー７３とＤＳＰ７４とが回路基板部７５に実装されて接続された造形である。
【００２９】
図６を参照し、発明を実施するための形態１に係る振動素子部５３として振動モーター部７６を例示して説明する。図６に示す振動モーター部７６は、携帯電話機又はスマートフォン等の携帯電子機器に用いられる小形のものであり、モーター部の軸７７に錘７８を付け、錘７８の重心が軸７７の回転により軸心の周りを旋回して振動を発生する構造になっている。振動素子部５３としては、振動モーター部７６に限定されるものではなく、スピーカー、セラミック素子、磁歪素子等からなる振動を発生する素子でも適用可能である。
【００３０】
図７を参照し、発明を実施するための形態２に係る３Ｄメガネ１について説明する。図７に示す３Ｄメガネ１は、メガネフレーム２の前面部３に３Ｄフィルター部４；５を備え、メガネフレーム２のテンプル部９；１０に検出部６とスイッチ部７と作動表示部８と電池部１１と制御部１２と振動発生部１３；１４とを備える。そして、スイッチ部７が人によりオン操作され、作動表示部８が電池部１１から供給された電力により点灯又は点滅してスイッチ部７のオン作動したことを表示する一方、検出部６と制御部１２とが電池部１１から供給された電力により作動する。検出部６は、テンプル部９より外側に突出する中空な突出部７９の内部に設けられる。突出部７９の前面部には検出孔部１７が設けられる。これにより、検出部６は、メガネフレーム２の前方に存在する３Ｄ画像の側から出力される振動開始のきっかけとなる信号を前側から検出孔部１７を経由して検出し得るようにテンプル部９に設けられた構造である。検出部６がメガネフレーム２の前方に存在する３Ｄ画像の側から出力される振動開始のきっかけとなる信号を検出し得るようにテンプル部９に設けられたので、３Ｄメガネ１の使用時において、３Ｄメガネ１の前方に存在する３Ｄ画像の側から出力される振動開始のきっかけとなる信号を良好に検出できる。
【００３１】
発明を実施するための形態１又は形態２に係る３Ｄメガネ１を使用する３Ｄ画像を表示する表示器としては、テレビ表示器、ゲーム表示器、パチンコ遊技機に搭載された画像表示器等である。３Ｄメガネ１をパチンコ遊技機に使用した場合、３Ｄメガネ１の検出部６がパチンコ遊技機の画像表示器又はスピーカー部から大当たりしたときの信号を受信した後は、３Ｄメガネ１がパチンコ遊技機の側から振動に関する信号を受信することなく、３Ｄメガネ１が３Ｄメガネ１に予め記録された振動パターンに基づいて振動を行う。従って、１つの３Ｄメガネ１に搭載された振動パターンと、もう１つの３Ｄメガネ１に搭載された振動パターンとが互いに異なる種類である場合において、上記１つの３Ｄメガネ１ともう１つの３Ｄメガネ１とは、同じパチンコ遊技機からの同じ大当たり信号であっても異なる振動になるので、パチンコ遊技機を改良することなく、３Ｄメガネ１の側だけで振動パターンを変更できるという利便性がある。
【００３２】
図１、図４、図７のそれぞれでは、３Ｄメガネ１を装着した場合でも、作動表示部８の点灯又は点滅又は消灯の状態が３Ｄメガネ１の外側から可視できるように設けられているが、作動表示部８を設けなければ、スイッチ部７のオン操作又はオフ操作されたことが報知できないものの、電池部の電力の消耗が低減できるうえ、構造が簡単になる。又、図１において、振動発生部１３；１４の一方が除去され残りの他方がテンプル部９；１０の一方に設けられても適用可能である。図１において、スイッチ部７がテンプル部９；１０の一方に設けられても適用可能である。図１において、作動表示部８がテンプル部９；１０の一方又は両方に設けられても適用可能である。図１において、制御部１２を交換不要な部品とし、収容部２１には電池部１１だけを設けても適用可能である。図１において、マイクロコンピューター部２７とメモリー部２８とが集積回路として一体に構成されれば、マイクロコンピューター部２７とメモリー部２８とのメガネフレーム２への設置が容易になる。図１において、電池部１１が例えばボタン電池等の充電不可能な電池部により構成されれば、３Ｄメガネ１を使った人の専用として提供しやすくなる。図１において、カバー部２３がテンプル部９にヒンジで開閉可能に取り付けられても適用可能である。図１において、テンプル部９；１０にゴムバンドのようなバンドを設け、このバンドを耳に掛けたり又は頭の後に渡したり又はヘッドホーンのように頭の上に渡したりする等の構造により、３Ｄメガネ１が人の顔から脱落しないようにしても適用可能である。
【００３３】
図４において、メモリー部２８には識別パターン５０と振動パターン５１とが３Ｄメガネ１の製造過程で書き換え不可能に予め記録されれば、３Ｄメガネ１の取り扱いが簡単である。図４において、制御部１２のメモリー部２８には複種類の識別パターン５０と複種類の振動パターン５１とが予め記録され、制御部１２のマイクロコンピューター部２７がサンプリングした検出信号をメモリー部２８に予め記録された複種類の識別パターン５０に照合し、サンプリングした検出信号が複種類の識別パターン５０の１つに一致すると、マイクロコンピューター部２７がメモリー部２８に予め記録された上記一致した１つの識別パターン５０に適合する１つの振動パターン５１に基づく制御信号を振動発生部１３；１４に出力するようにすれば、種々の振動を体験させることができる。
【００３４】
図７において、スイッチ部７がテンプル部１０又は前面部３に設けられ、作動表示部８がテンプル部９；１０の一方又は両方に設けられても適用可能である。
【符号の説明】
【００３５】
１は３Ｄメガネ、２はメガネフレーム、３は前面部、４；５は３Ｄフィルター部、６は検出部、７はスイッチ部、８は作動表示部、９；１０はテンプル部、１１は電池部、１２は制御部、１３；１４は振動発生部、１５；１６は可視孔部、１７は検出孔部、１８；１９はモダン部、２０は欠番、２１は収容部、２２は開口部、２３はカバー部、２４；２５は嵌合部、２６は欠番、２７はマイクロコンピューター部、２８はメモリー部、２９；３０は欠番、３１乃至３４は配線、３５は欠番、３６は充電端子部、３７は欠番、３８；３９はフレーム要素、４０は欠番、４１乃至４４は開口部、４５はスイッチ操作孔部、４６は作動表示孔部、４７はＣＣＤカメラ部、４８はマイクロホン部、４９は赤外線センサー部、５０は識別パターン、５１は振動パターン、５２は駆動回路部、５３は振動素子部、５４は欠番、５５乃至６０は電力線、６１乃至６３は信号線、６４乃至７０は欠番、７１はレンズユニット、７２はＩＲカットフィルター、７３はイメージセンサー、７４はＤＳＰ、７５は回路基板部、７６は振動モーター部、７７は軸、７８は錘、７９は突出部、８０は欠番、８１は３Ｄメガネ、８２はコントローラー部、８３は振動発生部、８４は３Ｄ映像表示部、８５は液晶表示部、８６は振動パターン、８７乃至９０は欠番、９１は電源回路部、９２はＡＣコンセント部、９３は増幅部、９４はマイクロホン部、９５は遊技機、９６はスピーカー部、９７は椅子、９８は振動発生部。
【図１】
2014165727.tif 000003
【図２】
2014165727.tif 000004
【図３】
2014165727.tif 000005
【図４】
2014165727.tif 000006
【図５】
2014165727.tif 000007
【図６】
2014165727.tif 000008
【図７】
2014165727.tif 000009
【図８】
2014165727.tif 000010
【図９】
2014165727.tif 000011